(57)【要約】【課題】北米のウェザーバンドを受信するＦＭラジオ受信機の低コスト化、及び小型化を図る。【解決手段】中間信号に変換された受信信号に対して帯域制限をかける中間周波バンドパスフィルタ（ＩＦＢＰＦ８０）は、通過帯域幅ＷＦを可変に構成され、ＷＦを受信状態に応じて変化させることで、隣接妨害の抑制、弱電界ノイズの除去、高変調時の歪みの抑制を図る。マイクロコンピュータ５４は、ユーザがウェザーバンドの受信を選択すると、同調周波数の切り換え制御を行うと共に、ＷＦをＩＦＢＰＦ８０が可変可能な下限幅に制御する。これにより、チャネルステップが他のバンドに比べて小さいウェザーバンドの受信時の隣接妨害の抑制を図る。この構成では、高価な水晶フィルタをＦＭチューナ用ＩＣに外付けする必要がなく、低コスト化及び小型化が図れる。【選択図】図１
2009124292.tif 000002
【特許請求の範囲】
【請求項１】
アメリカ合衆国にて気象情報のＦＭ放送に用いられるウェザーバンドを含む複数の放送バンドを受信可能なラジオ受信機であって、
受信信号に対して、目的受信チャネルの搬送波周波数を所定の中間周波数にシフトさせる周波数変換を行い、中間信号を生成する中間信号生成回路と、
所定の下限幅から上限幅までの間にて通過帯域幅を可変設定でき、前記目的受信チャネルの前記中間信号を通過する帯域可変バンドバスフィルタと、
前記帯域可変バンドパスフィルタの前記通過帯域幅を可変制御する帯域幅制御回路と、
を有し、
前記帯域幅制御回路は、前記目的受信チャネルが前記ウェザーバンドに設定された場合に、前記帯域可変バンドパスフィルタの前記通過帯域幅を前記下限幅に設定すること、
を特徴とするラジオ受信機。
【請求項２】
請求項１に記載のラジオ受信機において、
前記帯域可変バンドパスフィルタは、前記中間信号生成回路及び前記帯域幅制御回路が形成される半導体集積回路に内蔵されること、
を特徴とするラジオ受信機。
【請求項３】
請求項１又は請求項２に記載のラジオ受信機において、
前記ウェザーバンドは、２５ｋＨｚ間隔で設定される複数のチャネルからなること、
を特徴とするラジオ受信機。
【発明の詳細な説明】
【技術分野】
【０００１】
本発明は、アメリカ合衆国にて気象情報をＦＭ放送するウェザーバンドを受信可能なラジオ受信機に関する。
【背景技術】
【０００２】
アメリカ合衆国（米国）では、現在、ＮＯＡＡ（National Oceanic and Atmospheric Administration：アメリカ海洋大気圏局）が１６２．４ＭＨｚから１６２．５５ＭＨｚまでの周波数帯域を用いて気象情報をＦＭ放送により提供しており、当該周波数帯域はウェザーバンドと呼ばれている。ウェザーバンドには２５ｋＨｚ間隔で７チャネルが配置されている。
【０００３】
図２は、ウェザーバンドを受信可能な従来のＦＭラジオ受信機の構成を示すブロック図である。アンテナ２にて受信されたＲＦ（Radio Frequency）信号は、第１混合回路４にて第１の局部発振信号と混合され、目的受信チャネルのＲＦ信号が所定の中間周波数（Intermediate Frequency：ＩＦ）ｆＩＦ１の第１中間信号ＳＩＦ１へ周波数変換される。
【０００４】
ＳＩＦ１はバンドパスフィルタ（Band Pass Filter：ＢＰＦ）６又はＢＰＦ７にて帯域制限された後、第２混合回路８に入力される。例えば、ＢＰＦ６は比較的通過帯域が広いセラミックフィルタＣＦで構成され、一方、ＢＰＦ７は通過帯域幅が狭く選択度特性が高い水晶フィルタＸＦで構成される。ＳＩＦ１をＢＰＦ６，７のいずれを通過させるかは受信バンドに応じて切り換えられる。例えば、８７．５〜１０８ＭＨｚを使用する米国の一般のＦＭ放送では、チャネルステップが２００ｋＨｚであることに対応して、ＢＰＦ６（ＣＦ）が選択される。これに対して、ウェザーバンドのチャネルステップは小さいので、隣接妨害防止の観点から、ＢＰＦ７（ＸＦ）が選択される。
【０００５】
ＢＰＦ６又はＢＰＦ７のいずれかを通過したＳＩＦ１は第２混合回路８にて第２の局部発振信号と混合され、所定の中間周波数ｆＩＦ２を有する第２中間信号ＳＩＦ２へ周波数変換される。ＳＩＦ２はｆＩＦ２を中心周波数とするＢＰＦであるＩＦＢＰＦ１０を通過後、ＦＭ検波回路１２にてＦＭ検波される。このＦＭ検波出力ＳＤＥＴに基づいて音声信号が再生される。
【０００６】
ＩＦＢＰＦ１０は、例えば、ＦＭチューナ用ＩＣの一部として、混合回路４，８、ＦＭ検波回路１２、帯域幅制御回路２０などと共通の半導体チップ上に形成される。
【特許文献１】特開２０００−１８３７７４号公報
【発明の開示】
【発明が解決しようとする課題】
【０００７】
ウェザーバンドの受信に利用されるＢＰＦ７は、上述のように水晶フィルタで構成される。この水晶フィルタは比較的高価であり、ラジオ受信機の製造コストが高くなるという問題があった。また、水晶フィルタは、ＦＭチューナ用ＩＣに内蔵することができず、外付け部品となる。そのため、部品点数が多くなり、ラジオ受信機の小型化を阻害するという問題があった。
【０００８】
本発明は上記問題点を解決するためになされたものであり、ウェザーバンドの受信に用いるラジオ受信機のより低価格化、小型化を図る。
【課題を解決するための手段】
【０００９】
本発明に係るラジオ受信機は、受信信号に対して、目的受信チャネルの搬送波周波数を所定の中間周波数にシフトさせる周波数変換を行い、中間信号を生成する中間信号生成回路と、所定の下限幅から上限幅までの間にて通過帯域幅を可変設定でき、前記目的受信チャネルの前記中間信号を通過する帯域可変バンドバスフィルタと、前記帯域可変バンドパスフィルタの前記通過帯域幅を可変制御する帯域幅制御回路と、を有し、前記帯域幅制御回路が、前記目的受信チャネルが前記ウェザーバンドに設定された場合に、前記帯域可変バンドパスフィルタの前記通過帯域幅を前記下限幅に固定して設定する。
【発明の効果】
【００１０】
本発明によれば、ウェザーバンドを受信する際には、帯域可変バンドパスフィルタの通過帯域幅をその変更可能な下限値に設定することで隣接妨害の抑制を図り、これによりウェザーバンド受信のために特段の水晶フィルタを用いずにラジオ受信機が構成される。よって、水晶フィルタを用いない分、ラジオ受信機のコスト抑制が図られる。また、水晶フィルタをＦＭチューナ用ＩＣに外付けせずに済み、ラジオ受信機の小型化、及びコストダウンが図られる。
【発明を実施するための最良の形態】
【００１１】
以下、本発明の実施の形態（以下実施形態という）について、図面に基づいて説明する。図１は、実施形態に係るＦＭラジオ受信機５０の概略のブロック構成図である。本ＦＭラジオ受信機５０は、ＦＭチューナ回路５２と、マイクロコンピュータ５４と、ＥＥＰＲＯＭ（Electronically Erasable and Programmable Read Only Memory）等の不揮発性のメモリ５６と、それらの間の通信を可能とするシステムバス５８とを含んで構成される。ＦＭチューナ回路５２の主要部はＩＣ化される。
【００１２】
アンテナ６０で受信されたＲＦ信号ＳＲＦ０は、ＲＦ回路６２、第１局部発振部６４、第１混合回路６６、ＢＰＦ６８，７２、バッファアンプ７０、第２局部発振部７４、第２混合回路７６、ＩＦＢＰＦ８０、リミッタアンプ８２、ＦＭ検波回路８４、及びマトリクス回路（ＭＰＸ）８６を含んで構成される信号処理系で処理され、出力信号ＳＯＵＴが生成される。
【００１３】
ＦＭチューナ回路５２は上述の構成要素の他、帯域幅制御回路９８、レジスタ１００及びＤ／Ａ変換回路（ＤＡＣ）１０２を含んで構成される。
【００１４】
ＲＦ信号ＳＲＦ０はＲＦ回路６２に入力される。ＲＦ回路６２は、受信対象帯域にわたるＲＦ信号ＳＲＦ０から、搬送波周波数ｆＲを有する目的受信局を含む比較的狭い帯域のＲＦ信号ＳＲＦを抽出する同調処理を行う。ＲＦ回路６２で抽出されたＲＦ信号ＳＲＦは第１混合回路６６に入力される。
【００１５】
第１局部発振部６４は、ＰＬＬ（Phase Lock Loop）回路を用いた発振回路及び分周回路を含んで構成され、第１局部発振信号ＳＬＯ１を出力する。
【００１６】
第１混合回路６６は、入力されたＲＦ信号ＳＲＦを、第１局部発振部６４から入力される第１局部発振信号ＳＬＯ１と混合して、第１中間信号ＳＩＦ１を生成する。ＳＬＯ１の周波数ｆＬＯ１は、ＳＲＦに含まれる目的受信局の信号の搬送波周波数ｆＲが第１混合回路６６によるＳＩＦ１への周波数変換にて所定の第１中間周波数ｆＩＦ１に変換されるように調整される。この調整は、マイクロコンピュータ５４が、図示しないレジスタにデータを設定し、当該データに基づいて第１局部発振部６４内の発振回路の発振周波数や分周回路の分周比を制御することにより行われる。第１中間周波数ｆＩＦ１は、例えば、１０．７ＭＨｚに設定される。
【００１７】
第１混合回路６６から出力されるＳＩＦ１は、ＢＰＦ６８、バッファアンプ７０及びＢＰＦ７２を経て、第２混合回路７６に入力される。例えば、ＢＰＦ６８，７２はセラミックフィルタＣＦを用いて構成することができる。
【００１８】
第２混合回路７６は、入力された第１中間信号ＳＩＦ１を、第２局部発振部７４から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７６において周波数ｆＩＦ２に変換される。第２中間周波数ｆＩＦ２は、例えば、４５０ｋＨｚに設定される。
【００１９】
ＳＩＦ２は、ＩＦＢＰＦ８０に入力される。ＩＦＢＰＦ８０は、ｆＩＦ２を中心周波数とし、かつ通過帯域幅ＷＦを可変設定できるバンドパスフィルタである。ＩＦＢＰＦ８０の通過帯域幅ＷＦは帯域幅制御回路９８により制御される。ＷＦは４０〜２２０ｋＨｚの範囲で可変に構成される。このＩＦＢＰＦ８０の通過帯域幅ＷＦは最小帯域幅４０ｋＨｚ固定する事ができる。ウェザーバンドでは最小帯域幅に固定設定して使用する。
【００２０】
ＩＦＢＰＦ８０から出力されたＳＩＦ２は、リミッタアンプ８２を経て、ＦＭ検波回路８４に入力される。ＦＭ検波回路８４は例えば、クオドラチュア検波回路で構成される。ＦＭ検波回路８４は、リミッタアンプ８２から入力されたＳＩＦ２をＦＭ検波し、検波出力信号ＳＤＥＴを出力する。
【００２１】
マトリクス回路８６は、ステレオ放送時には、ステレオコンポジット信号であるＳＤＥＴから（Ｌ＋Ｒ）信号、（Ｌ−Ｒ）信号をそれぞれ抽出し、それら（Ｌ＋Ｒ）信号と（Ｌ−Ｒ）信号とから、マトリクス方式によりＬ信号とＲ信号とを分離し、ＳＯＵＴとして出力する。
【００２２】
帯域幅制御回路９８には、レジスタ１００に格納されるデータＤＢに基づいてＤ／Ａ変換回路１０２が生成するアナログ電圧信号ＳＢが入力される。レジスタ１００に対するデータＤＢの設定は、マイクロコンピュータ５４により行われる。マイクロコンピュータ５４は、ＦＭラジオ受信機５０のユーザが受信チャネルをウェザーバンドに切り換えると、上述のように第１局部発振部６４を制御して、第１局部発振信号ＳＬＯ１の周波数ｆＬＯ１を選択されたウェザーバンドのチャネルに対応した値に切り換える等の処理を実行すると共に、レジスタ１００に格納されるデータＤＢを所定値ｄＷＢに書き換える。逆に、ユーザがウェザーバンドからそれ以外のバンドへの切り換えを指示すると、データＤＢを所定値ｄＯＢに書き換える。例えば、これらｄＷＢ，ｄＯＢはメモリ５６に予め記憶させておき、マイクロコンピュータ５４がチャネル切り換えの処理プログラムにおいて、当該データを読み出してレジスタ１００に格納するように構成することができる。
【００２３】
帯域幅制御回路９８は、Ｄ／Ａ変換回路１０２が出力するＳＢに基づいて、ＩＦＢＰＦ８０に対する制御電圧信号ＳＷＦを生成する。
【００２４】
具体的には、帯域幅制御回路９８は、Ｄ／Ａ変換回路１０２からデータｄＯＢに応じた信号ＳＢを入力されている状態では、受信電界強度や隣接妨害の有無等の受信状態に応じて、通過帯域幅ＷＦを設定する。
【００２５】
一方、帯域幅制御回路９８は、Ｄ／Ａ変換回路１０２からデータｄＷＢに応じた信号ＳＢを入力されている状態、すなわちウェザーバンドを受信している状態では、ＳＢに基づいてＷＦをＩＦＢＰＦ８０が可変できる下限値に設定する。この制御は、他の入力信号ＳＭ−ＤＣ，ＳＡＩ及びＳＭＤから把握される受信状態にかかわらず一律に行われる。
【００２６】
このように、他のバンドに比べて小さいチャネルステップを有するウェザーバンドの受信時には、ＷＦを下限値に設定することで隣接妨害の抑制が図られる。また、ＦＭチューナ用ＩＣに内蔵可能なＩＦＢＰＦ８０を用いて隣接妨害が可能となり、当該ＩＣに高価な水晶フィルタを外付けする必要がない。これにより、ＦＭラジオ受信機５０をより低コストに作ることができ、かつ部品点数の削減により小型化を図ることができる。
【図面の簡単な説明】
【００２７】
【図１】本発明の実施形態に係るＦＭラジオ受信機の概略のブロック構成図である。
【図２】ウェザーバンドを受信可能な従来のＦＭラジオ受信機の構成を示すブロック図である。
【符号の説明】
【００２８】
５０  ＦＭラジオ受信機、５２  ＦＭチューナ回路、５４  マイクロコンピュータ、５６  メモリ、５８  システムバス、６０  アンテナ、６２  ＲＦ回路、６４  第１局部発振部、６６  第１混合回路、６８，７２  ＢＰＦ、７０  バッファアンプ、７４  第２局部発振部、７６  第２混合回路、８０  ＩＦＢＰＦ、８２  リミッタアンプ、８４  ＦＭ検波回路、８６  マトリクス回路、９８  帯域幅制御回路、１００  レジスタ、１０２  Ｄ／Ａ変換回路。
【図１】
2009124292.tif 000003
【図２】
2009124292.tif 000004